(57)【要約】　　　（修正有）【課　題】頭皮や毛髪を振動力で洗髪をするため頭皮や毛髪を痛めずに洗浄することができる電動頭皮洗髪機を提供可能とする。【解決手段】ハンドル内の動力を駆動部材を介して長手方向の振動に変え、左右両プレートａ・ｂを逆方向に振動させ、両プレートａ・ｂ長手方向に一列かつ等間隔に起立した三角歯３・３′を対プレートａ・ｂ側へ交互にかみ合わせ、両プレートａ・ｂを足踏振動することで、各三角歯３・３′を交互に開閉する方式と他方ハンドル２１内の動力を駆動部材を介して長手方向に振動するソケット３１に取り替え可能な洗髪用ヘッドをハンドル２１内のソケット３１に駆着し振動させ、各洗髪用ヘッドを同一方向に振動する方式を提供する。【選択図】　図１
2004136042.tif 000002
【特許請求の範囲】
【請求項１】
動力源及び駆動部材を介して半転運動をする従動軸を内蔵するハンドルと一体型成されたヘッドカバーの長手方向に平行に敷かれた左右２本の両プレートは、上記ハンドル内の半転運動をする従動軸に連結し、左右逆方向に反復する足踏運動をし、上記両プレートに接合する三角歯は、平行かつ等間隔に起立し左右から歯翼部が対向する上記両プレート上に交互にかみ合い、両プレートの足踏運動により各三角歯は交互に逆方向に開閉し、毛髪を噛むように咀嚼振動をするように構成されていることを特徴とする電動頭皮洗髪機である。
【請求項２】
他方動力源及び駆動部材を介して往復運動をするソケットを内臓するハンドルと前記ソケットに着脱可能な櫛型及びブラシ型洗髪用ヘッドで構成された洗髪機において櫛型の洗髪用ヘッドには、長手方向に対し等間隔に縦一列に幅広の三角歯が中空ヘッドに起立し、ブラシ型洗髪用ヘッドにはＵ字歯がブラシ状に中空ヘッドに起立し、各ヘッドの柄部をハンドルのソケット内に駆着し、ハンドル内の動力により長手方向に振動し、頭皮や毛髪を同一方向に振動させることを特徴とする電動頭皮洗髪機。
【請求項３】
又上記幅広の三角歯には円形や縦長の穴が多数開けられ、網目状に配列されていることを特徴とする電動頭皮洗髪機。
【発明の詳細な説明】
【０００１】
【発明の属する技術分野】
本発明は、頭皮及び毛髪を洗髪するときに用いられる頭皮洗髪機に関するものである。
【０００２】
【従来の技術】
従来一般家庭での洗髪は、洗髪剤を毛髪に適量を塗布、指で毛髪を揉み、頭皮を擦ることで泡立てて洗髪をしていた。又、業務用として水圧を利用して洗髪するオートシャンプーが開発されている。
【０００３】
【発明が解決しようとする課題】
しかしながら、洗髪剤を泡立てて洗うためには、毛髪を揉まなければならず、揉めば揉むだけ毛髪のキューティクルが擦り合い損傷の原因にもなっていた。さらに皮膚や毛穴の汗腺や脂線からは汗や皮脂が噴出し酸化することで老廃物となり、毛髪や皮膚の汚れの原因にもなっていた。特に皮脂は毛穴から噴出するために普通に洗っても落ちきれずに残ってしまい、抜毛の原因となり、強く洗えば頭皮を傷つけ、長時間洗うには苦痛であった。又、訪問介護や入院患者の洗髪にも苦労をしており、水圧を利用するオートシャンプーは機械も大きく高価であり、一般家庭や訪問介護用としては不向きである。
【０００４】
そこで本発明では上述するような従来の洗髪技法に鑑み、片手で簡単に操作することのできる安価なハンド式の電動頭皮洗髪機を提供することを目的とする。
【０００５】
【課題を解決するための手段】
かかる上記の目的を達成するためになされた本発明の構成は
（１）　動力源及び駆動部材を介して半転運動をする従動軸を内蔵するハンドルと一体型成されたヘッドカバーの長手方向に平行に敷かれた左右２本の両プレートは、上記ハンドル内の半転運動をする従動軸に連結し、左右逆方向に反復する足踏運動をし、上記両プレートに接合する三角歯は平行かつ等間隔に起立し、左右から歯翼部が対向する上記両プレート上に交互にかみ合い、両プレートの足踏運動により各三角歯は交互に逆方向に開閉し、毛髪を噛むように咀嚼振動をするように構成されていることを特徴とし
（２）　他方、動力源及び駆動部材を介して往復運動をするソケットを内臓するハンドルと前記ソケットに着脱可能な櫛型及びブラシ型洗髪用ヘッドで構成された洗髪機の櫛型の洗髪用ヘッドには、長手方向に対し等間隔に縦一列に幅広の三角歯が中空ヘッドに起立し、ブラシ型洗髪用ヘッドにはＵ字歯がブラシ状に中空ヘッドに起立し、各ヘッドの柄部をハンドルのソケット内に駆着し、ハンドル内の動力により長手方向に振動し、頭皮や毛髪を同一方向に振動させることを特徴とし
（３）　上記幅広の三角歯には円形や縦長の穴が多数開けられ、網目状に配列されていることを特徴とする装置を提供することを目的とす。
【０００６】
【発明の実施の形態】
以下本発明の実施例の詳細について、添付の図面を参照にしながら説明を行う。図１には本発明の実施例である電動頭皮洗髪機が示されており、この図において符合１は、例えばプラスチック等の合成樹脂で形成された外枠であるハンドル１を示している。このハンドル１内の電動力で前後に振動するソケットａ・ｂがハンドル１と一体型成されたヘッドカバー２に収められ、ヘッドカバー２より幅広の三角歯３・３′が一列かつ等間隔に起立して装着された状態を示した斜視図である。
【０００７】
上記ハンドル１内には図２駆動例の略図で示すように動力源である電源５から動力であるモーター６へ防水スイッチ４を介して通電し、モーター６を回転させ、モーター６の軸に装着された回転カム７により従動軸８が軸９を中心に半転運動をし、プレートａ・ｂの連結ミゾ１１・１１′に連結ピン１０・１０′が挿入され、従動軸の半転運動を往復運動に変え、プレートａ・ｂを前後に振動させ、ヘッドカバー２により前後に振動するように固定され安定して振動をする。両プレートａ・ｂの中央部を頂点に一列に起立した各三角歯３・３′は交互にかみ合い平間隔に配列しており、図３にて三角歯の段面図を示し、プレートａに接合した三角歯３はプレートｂ上に歯翼部を張り出し、又、プレートｂの三角歯３′の歯翼部はプレートａ側に張り出し、交互に歯と歯がかみ合いプレートａ及びプレートｂが逆方向に振動することで三角歯３・３′が交互に開閉し、洗髪剤を撹拌し毛髪を咀嚼振動で洗髪をするため、毛髪を痛めることなく老廃物や汚れを洗浄することのできる装置である。
【０００８】
又、図５に示すように動力源であるハンドル２１内に駆着された中空ヘッド２１の長手方向に対し、一列に固定され等間隔に起立した三角歯２３は中空ヘッド２１の振動に同調する構造であり、全ての三角歯２３は同一方向に振動し、頭皮や毛髪を同一方向に振動させ洗髪剤を撹拌し、皮脂を乳化させ老廃物や汚れを洗浄する洗髪用ヘッドを振動させる動力源がハンドル２１内に収納されており、図６駆動例の略図で示すように動力源であるモーター２５を電源２４により起動させ、回転カム２７を回転させ、従動軸２８を軸２９を中心に反転運動をさせ、連結ピン３０によりソケット３１を往復運動をする構造を示した略図であり、図７の洗髪用ヘッドをソケット３１に挿入し、固定して振動させることを目的とする。洗髪用ヘッドは中空ヘッド２２の長手方向に対し直角かつ等間隔に起立した三角歯２３が固定されており、中空ヘッド２２の振動に同調して三角歯２３も振動をする洗髪用ヘッドは、柄３３をハンドル２１内のソケット３１に挿入し、止め具３４の鉤部をソケット３１の鉤穴に差し込むことで洗髪用ヘッドを固定して駆動することのできる装置であり、止め具３４を押すことで簡単に着脱が可能であり、用途により洗髪用ヘッドを取り替えて使用する構造で、櫛やブラシで髪を解かすように使用するだけで、頭皮や毛髪を同一方向に振動させ毛髪に塗布された洗髪剤を撹拌し泡立てて皮脂を素早く乳化し、老廃物や汚れを洗浄することと頭皮のマッサージを目的としている。
【０００９】
しかしながら、頭毛には毛量や毛質（硬軟から損傷の有無等）及びヘアスタイルによる髪の長短又脂性や汚れの状態からマッサージの強弱等個人差が大きく、一種類の洗髪用ヘッドだけでは対応しきれない面もあり、櫛型の洗髪用ヘッドやブラシ型の洗髪用ヘッドが提供され用途に応じて取り替えて使用する構造であり、櫛型の洗髪用ヘッドには図８の破綻図の例に示すように中空ヘッド３５より幅広の三角歯３６は先端部より左右に方物線状に湾曲し両すそは中空ヘッド３５より幅広に突出して中空構造となっており、中空部は中空ヘッド３５内へ貫通し、又中空三角歯３６の両面には一列として穴３７が開けられ、三角歯の振動により泡を発生させ、毛髪内に洗髪剤を充満させる装置であり、又、図９の破綻図の例に示すように一枚歯のよる三角歯４６が示され、中空ヘッド４５より幅広の三角歯４６の面には一列として無数の穴３７が網目状に開けられ、歯と歯の谷部中空ヘッド４５には送風口４７が開けられ、三角歯４６の振動で洗髪剤を撹拌し三角歯４６の穴３７により細かい泡を発生する構造であり、各三角歯は薄く櫛通りの良い洗髪用ヘッドである。
【００１０】
又、図７にはブラシ型洗髪用ヘッドの斜視図で示すように中空ヘッドの長手方向に対して左右に両脚を広げて起立し、先端でＵ字状に結合（合体）するＵ字歯６３の列が長手方向に配列され、そのＵ字歯５３数列が配列されてブラシ型洗髪用ヘッドが形成されており、又、一部Ｕ字歯５３根元両脚部の間を筒状５４にすることでＵ字歯５３の先端部から泡を送風することが可能であり、Ｕ字歯５３を振動することで、Ｕ字歯５３両脚に張られた皮膜が振動により泡立ち皮脂を乳化し、老廃物や汚れを洗浄する。頭皮との接触面積が三角歯より少なく、マッサージ効果の高い洗髪用ヘッドである。
【発明の効果】
以上の詳細な説明からも明らかなように、本発明による電動頭皮洗髪機はハンドル内の動力により左右両プレートの足踏運動により交互に噛み合わせた各三角歯の間隔が交互に開閉し、洗髪剤を撹拌し毛髪を咀嚼するように洗髪する方式と使用目的により洗髪用ヘッドを三角歯やブラシ等に取り替えて使用し、各ヘッドの三角形の広歯やＵ字歯をハンドル内の動力により振動させ、歯の振動により頭皮と毛髪を同一方向に振動させることでシャンプー剤を撹拌、歯に開けられた溝や穴により細かく泡立てて洗髪をする方式が提供され頭皮や毛髪を振動させて、皮脂を乳化し老廃物や汚れを洗い落とすことのできる装置であり、振動で洗うために泡が周りに飛び散ることもなく、シャワー付洗面台での使用や訪問介護及び病院等での洗髪がベッド上でも簡単に施術することのできる装置で熟練を伴わない者でも、容易かつ簡単に洗髪業務をすることができる。その他、理美容業者各方面での使用も可能であり、極めて優れた効果を発揮する器具であり、又洗髪用ヘッドが取り外せることは、使用後にハンドルから取り外して洗髪用ヘッドの隅々まで簡単に洗浄することができ、カビの発生を予防し器具を清潔に保つことのできる電動頭皮洗髪機である。
【図面の簡単な説明】
【図１】本発明の一実施例である電動頭皮洗髪機の開閉振動方式を示した斜視図である。
【図２】同じく前記ハンドル内の駆動部剤の状態と三角歯の噛み合わせを示した略図である。
【図３】同じくヘッドカバーから三角歯の断面図である。
【図４】同じく三角歯の開閉の反復運動を示した略図である。
【図５】本説明の他の実施例の着脱方式による洗髪機の斜視図である。
【図６】同じく前記ハンドル内の駆動系を示した略図である。
【図７】同じく前記着脱式洗髪用ヘッドの側面図である。
【図８】同じく中空三角歯の破綻図である。
【図９】同じく一枚歯の破綻図である。
【図１０】同じくブラシ型洗髪用ヘッドの斜視図である。
【図１１】同じくブラシ型洗髪用ヘッドの断面図である。
【符号の説明】
１……ハンドル　　　　２……ヘッドカバー　　　　　３……三角歯
４……防水スイッチ　　５……電源　　　　　　　　　６……モーター
７……回転カム　　　　８……従動軸　　　　　　　　９……軸
１０……連結ピン　　　２１……着脱式ハンドル　　　２２……中空ヘッド
２３……三角歯　　　　２４……電源　　　　　　　　２５……モーター
２６……防水スイッチ　２７……回転カム　　　　　　２８……従動軸
２９……軸　　　　　　３０……連結ピン　　　　　　３１……ソケット
３２……鉤穴　　　　　３３……柄　　　　　　　　　３４……止め具
３５……中空歯用中空ヘッド　　　　３６……中空三角歯　　　３７……穴
４５……一枚歯用中空ヘッド　　　　４６……一枚の三角歯
５１……ブラシ型中空ヘッド　　　　５２……ブラシ型柄　　　５３……Ｕ字歯
５４……筒状部　　　　ａ……右側プレート　　　　ｂ……左側プレート
【図１】
2004136042.tif 000003
【図２】
2004136042.tif 000004
【図３】
2004136042.tif 000005
【図４】
2004136042.tif 000006
【図５】
2004136042.tif 000007
【図６】
2004136042.tif 000008
【図７】
2004136042.tif 000009
【図８】
2004136042.tif 000010
【図９】
2004136042.tif 000011
【図１０】
2004136042.tif 000012
【図１１】
2004136042.tif 000013